(57)【要約】【課題】滑走ブレードを安定して固定でき、刃部の刃面を正確に研磨してエッジ部分に精度よく角度を付けることが可能なアイススケート靴用刃研磨台を提供する。【解決手段】刃部１４と、刃部１４の上端部に長手方向に沿って固設されたチューブ１５と、を有する滑走ブレード１３を固定して刃部１４の刃面１４ａを研磨するためのアイススケート靴用刃研磨台２０であり、刃面１４ａを上向きにして滑走ブレード１３の両側面側から開閉可能に固定するブレード固定部２２を架台２１に備え、ブレード固定部２２は、刃面１４ａを突出させて刃部１４を両側から挟持する刃部挟持部３２と、チューブ１５を両側から挟持するチューブ挟持部３３と、を有している。【選択図】図１３
0003211349.tif 000002
【実用新案登録請求の範囲】
【請求項１】
刃部と、前記刃部の上端部に長手方向に沿って固設されたチューブと、を有する滑走ブレードを固定して前記刃部の刃面を研磨するためのアイススケート靴用刃研磨台において、
前記刃面を上向きにして前記滑走ブレードの両側面側から開閉可能に固定するブレード固定部を架台に備え、
前記ブレード固定部は、前記刃面を突出させて前記刃部を両側から挟持する刃部挟持部と、前記チューブを両側から挟持するチューブ挟持部と、を有しているアイススケート靴用刃研磨台。
【請求項２】
前記ブレード固定部は、前記架台に開閉可能に設けられて閉状態で固定可能な固定部本体を有し、
前記刃部挟持部は、前記固定部本体の上部と前記架台とに対向して設けられ、前記閉状態で前記刃部の両側面に当接して挟持する一対の刃部押圧駒を有し、
前記チューブ挟持部は、前記固定部本体の中間部と前記架台とに対向して設けられ、前記閉状態で前記チューブの両側面に当接して挟持する一対のチューブ押圧駒を有する、請求項１に記載のアイススケート靴用刃研磨台。
【請求項３】
前記固定部本体と前記架台とに設けられた前記刃部押圧駒は、それぞれ縦軸周りに回動自在に支持されている、請求項２に記載のアイススケート靴用刃研磨台。
【請求項４】
前記ブレード固定部は、上下反転させた前記チューブを下方から当接して支持する下部支持部を有し、
前記下部支持部は、中心から偏心した横軸周りに回動可能に設けられ、外周には前記横軸からの距離が互いに異なる複数の当接支持面を有している、請求項１乃至３の何れかに記載のアイススケート靴用刃研磨台。
【請求項５】
前記刃部を当接させて配置を調整する配置調整部が前記架台に着脱可能に装着され、
前記配置調整部は、
前記刃部の側面を当接させて前記刃部の倒れ角度を調整する角度調整部と、
前記刃部の刃面を当接させて前記刃部挟持部からの前記刃部の突出量を調整する突出量調整部と、を有する、請求項１乃至４の何れかに記載のアイススケート靴用刃研磨台。
【考案の詳細な説明】
【技術分野】
【０００１】
本考案は滑走ブレードの刃部を固定して刃面を研磨するためのアイススケート靴用刃研磨台に関する。
【背景技術】
【０００２】
近年、スラップスケートなどのアイススケート靴１０として、図１に示すように、靴部１１にスラップシステム１２を介して装着された滑走ブレード１３が、刃部１４と、刃部１４の上端部に長手方向に沿って固設されたチューブ１５と、を有するものが多数使用されている。
このような滑走ブレード１３の刃部１４の刃面１４ａを従来のアイススケート靴用刃研磨装置により研磨するには、上下反転させて刃面１４ａを上向きに突出させた状態で、刃部１４を両側面から挟持手段により強く挟持することで研磨台に固定し、その状態で上方から刃面１４ａに砥石を当接させて研磨していた（例えば特許文献１参照）。
【先行技術文献】
【特許文献】
【０００３】
【特許文献１】特開２０１１−４５９７１号公報
【考案の概要】
【考案が解決しようとする課題】
【０００４】
しかしながら、従来のアイススケート靴用刃研磨装置に使用されていた研磨台では、上下方向に狭い幅の挟持バー等を互いに対向させたような挟持手段で滑走ブレード１３の刃部１４のみを強く挟持して固定していた。
【０００５】
そのため、挟持手段により固定された滑走ブレード１３が、研磨時等に挟持部分を中心に倒れ方向に角度が変化し易かった。滑走ブレード１３が倒れ方向に角度が変化すると、刃面１４ａがその分傾斜してしまい、精度よく所望の角度でエッジ部を形成することができていなかった。
【０００６】
そこで本考案では、滑走ブレードを安定して固定でき、刃部の刃面を正確に研磨してエッジ部分に精度よく角度を付けることが可能なアイススケート靴用刃研磨台を提供することを課題としている。
【課題を解決するための手段】
【０００７】
上記課題を解決する本考案のアイススケート靴用刃研磨台は、刃部と、刃部の上端部に長手方向に沿って固設されたチューブと、を有する滑走ブレードを固定して刃部の刃面を研磨するためのアイススケート靴用刃研磨台において、刃面を上向きにして滑走ブレードの両側面側から開閉可能に固定するブレード固定部を架台に備え、ブレード固定部は、刃面を突出させて刃部を両側から挟持する刃部挟持部と、チューブを両側から挟持するチューブ挟持部と、を有することを特徴としている。
【０００８】
本考案のアイススケート靴用刃研磨台では、ブレード固定部は、架台に開閉可能に設けられて閉状態で固定可能な固定部本体を有し、刃部挟持部は、固定部本体の上部と架台とに対向して設けられ、閉状態で刃部の両側面に当接して挟持する一対の刃部押圧駒を有し、チューブ挟持部は、固定部本体の中間部と架台とに対向して設けられ、閉状態でチューブの両側面に当接して挟持する一対のチューブ押圧駒を有していてもよい。その場合、固定部本体と架台とに設けられた刃部押圧駒は、それぞれ縦軸周りに回動自在に支持されているのが好ましい。
【０００９】
本考案のアイススケート靴用刃研磨台では、ブレード固定部は、上下反転させたチューブを下方から当接して支持する下部支持部を有し、下部支持部は、中心から偏心した横軸周りに回動可能に設けられ、外周には横軸からの距離が互いに異なる複数の当接支持面を有していてもよい。
【００１０】
本考案のアイススケート靴用刃研磨台では、刃部を当接させて配置を調整する配置調整部が架台に着脱可能に装着され、この配置調整部は、刃部の側面を当接させて刃部の倒れ角度を調整する角度調整部と、刃部の刃面を当接させて刃部挟持部からの刃部の突出量を調整する突出量調整部と、を有していることが好ましい。
【考案の効果】
【００１１】
本考案のアイススケート靴用刃研磨台によれば、刃面を上向きにして滑走ブレードの両側面側から開閉可能に固定するブレード固定部を備えている。このブレード固定部が、刃面側を突出させて刃部を両側面側から挟持する刃部挟持部と、チューブを両側から挟持するチューブ挟持部と、を有している。
【００１２】
そのため、滑走ブレードをブレード固定部により固定する際、刃部とチューブとの上下両方の位置で両側面側から挟持するので、滑走ブレードを安定して固定でき、挟持された状態で滑走ブレードが傾いたり位置ズレしたりするようなことを防止できる。そのため刃部の上端部に長手方向に沿って固設されたチューブを有する滑走ブレードにおける刃部の刃面を所望の角度で正確に研磨でき、エッジ部分に正確に角度を付けることが可能である。
【００１３】
従って、本考案によれば、滑走ブレードを安定して固定でき、刃部の刃面を正確に研磨してエッジ部分に精度よく角度を付けることが可能なアイススケート靴用刃研磨台を提供することができる。
【図面の簡単な説明】
【００１４】
【図１】本考案の実施形態に係るアイススケート靴用刃研磨台の研磨対象であるアイススケート靴用の滑走ブレードを示す側面図である。
【図２】本考案の実施形態に係るアイススケート靴用刃研磨台の正面図である。
【図３】本考案の実施形態に係るアイススケート靴用刃研磨台の背面図である。
【図４】本考案の実施形態に係るアイススケート靴用刃研磨台の右側面図である。
【図５】本考案の実施形態に係るアイススケート靴用刃研磨台の左側面図である。
【図６】本考案の実施形態に係るアイススケート靴用刃研磨台の平面図である。
【図７】本考案の実施形態に係るアイススケート靴用刃研磨台の底面図である。
【図８】本考案の実施形態に係るアイススケート靴用刃研磨台の等角投影図である。
【図９】本考案の実施形態に係るアイススケート靴用刃研磨台の断面図であり、図４のＡ−Ａ断面を示す。
【図１０】本考案の実施形態における配置調整部を取り外した状態のアイススケート靴用刃研磨台を示す等角投影図である。
【図１１】本考案の実施形態における配置調整部を示す等角投影図である。
【図１２】本考案の実施形態における配置調整部の側面図であり、架台への固定状態を示している。
【図１３】本考案の実施形態に係るアイススケート靴用刃研磨台に一対の滑走ブレードを装着した状態を示す斜視図である。
【図１４】本考案の実施形態に係るアイススケート靴用刃研磨台のブレード固定部を示す正面図である。
【図１５】本考案の実施形態に係るアイススケート靴用刃研磨台の刃部挟持部を示す平面図である。
【図１６】本考案の実施形態に係るアイススケート靴用刃研磨台の下部支持部を示す斜視図であり、刃高さ規定駒の内部を透明にして表示している。
【図１７】本考案の実施形態に係るアイススケート靴用刃研磨台の配置調整部を示す正面図である。
【考案を実施するための形態】
【００１５】
以下、本考案のアイススケート靴用刃研磨台について、図面を用いて詳細に説明する。
本実施形態のアイススケート靴１０は、図１に示すように、スラップスケートであり、研磨対象の滑走ブレード１３がスラップシステム１２を介して靴部１１に装着されている。滑走ブレード１３は、刃部１４と、刃部１４の上端部に長手方向に沿って固設されたチューブ１５と、を有している。
【００１６】
本実施形態に係るアイススケート靴用刃研磨台２０は、このような滑走ブレード１３の刃部１４の刃面１４ａを研磨するために滑走ブレード１３を固定する台である。
アイススケート靴用刃研磨台２０は、図２乃至図１２に示すように、架台２１と、架台２１の短手方向両側方側に設けられて刃部１４の刃面１４ａを上向きにして滑走ブレード１３を固定可能なブレード固定部２２と、架台２１の上部に着脱可能に装着され滑走ブレード１３の刃部１４を当接させて配置を調整するための配置調整部２３と、を備えている。このアイススケート靴用刃研磨台２０に滑走ブレード１３を装着した状態を図１３に示す。
【００１７】
まず架台２１は、長手方向に延びて上下に平行に配置された複数のロッド２６と、各ロッド２６を移動可能に貫通させ、互いに長手方向に離間して長手方向と略直交して配置された複数の縦フレーム２７と、各縦フレーム２７を各ロッド２６に固定するノブネジ２８と、を備えている。図１３に示すように、複数の縦フレーム２７は滑走ブレード１３の長さや形状等に応じて安定して支持できる間隔で配置されている。
【００１８】
次に、ブレード固定部２２は、図１４に示すように、各縦フレーム２７の両側面側に開閉可能にそれぞれ設けられた固定部本体３１と、固定部本体３１と架台２１の固定部本体３１の対向位置とに設けられた刃部挟持部３２及びチューブ挟持部３３と、刃部挟持部３２及びチューブ挟持部３３より下方に設けられた下部支持部３４と、を有している。
【００１９】
固定部本体３１は、架台２１の両側面側にそれぞれ枢支ピン３５により回動可能に支持されており、回動により架台２１の側面との間が開閉可能に設けられている。固定部本体３１の中間部分には外側から貫通して架台２１の側面に螺合したノブネジ３６が設けられている。ノブネジ３６を回動することで、枢支ピン３５を中心に回動して上部側が開閉することができる。各固定部本体３１と架台２１との間に滑走ブレード１３を反転させて配置した状態で、ノブネジ３６を締め込んで閉状態とすることで、滑走ブレード１３を固定部本体３１により固定することができる。
【００２０】
刃部挟持部３２は、刃部１４を両側面側から挟持する部位であり、固定部本体３１の上部と、架台２１における固定部本体３１の上部と対向する位置と、に設けられ、それぞれに刃部１４の両側面に当接する刃部押圧駒３２ａが備えられている。各刃部押圧駒３２ａは、図１５に示すように、固定部本体３１と架台２１とにそれぞれ縦軸３２ｂ周りに回動自在に支持されている。
【００２１】
固定部本体３１の刃部押圧駒３２ａと架台２１の刃部押圧駒３２ａとは、固定部本体３１を開閉することで進退して互いに近接離間する。反転させた滑走ブレード１３の刃部１４を、刃面１４ａが刃部押圧駒３２ａ，３２ａ間より上方に突出するように配置し、固定部本体３１を閉状態にする。これにより、互いに対向する刃部押圧駒３２ａ，３２ａが刃部１４の両側面側に当接して近接方向に加圧することができる。こうして滑走ブレード１３の刃部１４が刃部挟持部３２の刃部押圧駒３２ａ間で挟持される。
【００２２】
チューブ挟持部３３は、チューブ１５を両側面側から挟持する部位で、固定部本体３１の中間部と、架台２１における固定部本体３１の中間部と対向する位置と、に設けられ、それぞれにチューブ１５の両側面と当接するチューブ押圧駒３３ａが備えられている。
各チューブ押圧駒３３ａは、図１５に示すように、固定部本体３１と架台２１とにそれぞれ螺合する挟持ねじ部３３ｂと、挟持ねじ部３３ｂの螺合位置を固定する締め返しナット３３ｃと、挟持ねじ部３３ｂの突出端側に設けられて滑走ブレード１３のチューブ１５に当接する平坦面を有する頭部３３ｄと、を備えている。このチューブ挟持部３３は挟持ねじ部３３ｂにより固定部本体３１と架台２１とに進退可能である。
【００２３】
固定部本体３１のチューブ押圧駒３３ａと架台２１のチューブ押圧駒３３ａとは、固定部本体３１を開閉することで互いに近接離間する。反転させた滑走ブレード１３のチューブ１５を間に配置して固定部本体３１を閉状態にすると、互いに対向するチューブ押圧駒３３ａ，３３ａがチューブ１５の両側面側に当接して近接方向に加圧することができる。これにより滑走ブレード１３のチューブ１５がチューブ挟持部３３のチューブ押圧駒３３ａ間で挟持される。
【００２４】
下部支持部３４は、図１６に示すように、多角形板状の刃高さ規定駒３４ａと、刃高さ規定駒３４ａを中心から偏心した位置で横軸３４ｂ周りに回動可能で横軸３４ｂに沿う方向にスライド可能に支持する支持ピン３４ｃと、刃高さ規定駒３４ａと架台２１との対向位置に設けられて横軸３４ｂに沿う方向に係脱可能なボス３４ｄ及びボス係止部３４ｅと、ボス３４ｄとボス係止部３４ｅとを係止方向に付勢するバネ等の付勢手段３４ｆと、を備えている。本実施形態では、刃高さ規定駒３４ａは正面視四角形形状に形成され、ボス３４ｄ及びボス係止部３４ｅは正方形に形成されている。
【００２５】
多角形板状の刃高さ規定駒３４ａは、周囲の各辺が上下反転させたチューブ１５を下方から当接して支持する複数の当接支持面３４ｇを構成している。各辺からなる当接支持面３４ｇは滑走ブレード１３の幅方向に平坦な平面として形成されている。各辺からなる複数の当接支持面３４ｇは、回動中心となる横軸３４ｂからの距離が互いに異なっており、偏心した横軸３４ｂ周りに回動させることで、チューブ１５が当接する高さを調整可能である。
【００２６】
また刃高さ規定駒３４ａは、付勢手段３４ｆの付勢力に抗して架台２１から離間させることで位置決めボス３４ｄとボス係止部３４ｅとの間の係止を解除できる。その状態で、刃高さ規定駒３４ａを支持ピン３４ｃ周りに回動させ、適宜な向きで付勢手段３４ｆの付勢力により架台２１に当接させることで、位置決めボス３４ｄとボス係止部３４ｅとを係止できる。これにより各当接支持面３４ｇを適宜上向きに配置することが可能である。
【００２７】
次に、配置調整部２３は、図１２，１３及び図１７に示すように、架台２１の上部に着脱可能に装着され、滑走ブレード１３の刃部１４を当接させることで滑走ブレード１３の配置を調整するものである。図１０に示すように、架台２１の複数の縦フレーム２７の上部には、配置調整部２３の取付部４１が設けられている。この取付部４１は、平面状の頂面４１ａと、頂面４１ａに略直角に設けられた側面４１ｂと、を有している。
【００２８】
配置調整部２３は、図１２に示すように、配置調整部２３の支持ブロック４２の底面４２ａを取付部４１の頂面４１ａに当接させ、配置調整部２３の支持ブロック４２の内側面４２ｂを取付部４１の側面４１ｂに当接させた状態で、ノブネジ４３により架台２１に固定することができる。
【００２９】
この配置調整部２３には、図１７に示すように、刃部１４の側面を当接させて刃部１４の倒れ角度を調整する角度調整部４６と、刃部１４の刃面１４ａを当接させて刃部挟持部３２からの刃部１４の突出量を調整する突出量調整部４７と、が設けられている。角度調整部４６は目盛り付ガイド板４６ａをダイヤル４６ｂにより傾倒可能に構成されている。予め目盛り付ガイド板４６ａを所望の角度に配置しておき、滑走ブレード１３の刃部１４の側面を目盛り付ガイド板４６ａに密着するように当接させることで、滑走ブレード１３を所望の角度に設定することができる。
【００３０】
突出量調整部４７は、配置調整部２３の支持ブロック４２における滑走ブレード１３の上方となる位置に上下に進退可能に設けられている。この突出量調整部４７は、予め支持ブロック４２から下向きに所定量突出させておき、滑走ブレード１３の刃部１４の刃面１４ａを上向きに当接させることで、滑走ブレード１３の刃面１４ａを所望の高さに設定することが可能となっている。
【００３１】
次に、このようなアイススケート靴用刃研磨台２０を用いて、滑走ブレード１３の刃部１４の刃面１４ａを研磨する方法について説明する。
まず、滑走ブレード１３の形状及び各部の寸法に応じて、縦フレーム２７及び前後のブレード固定部２２をそれぞれ配置するとともに各部の位置合わせを行う。ここではノブネジ３６を回動させることでブレード固定部２２の固定部本体３１を開状態にするとともに、架台２１のチューブ押圧駒３３ａと固定部本体３１のチューブ押圧駒３３ａとを進退させて仮の進退位置に配置する。また、各配置調整部２３の角度調整部４６の角度と突出量調整部４７の位置とを予め設定して架台２１から離脱させた状態で準備する。
【００３２】
滑走ブレード１３のチューブ１５を基準にして刃部１４の刃面１４ａの研磨を行うチューブ基準の場合には、下部支持部３４を横軸３４ｂ周りに回動させてチューブ１５の基準位置が適切に配置される位置となるように、当接支持面３４ｇを選択して上向きに配置する。一方、滑走ブレード１３の刃部１４の刃先を基準にして刃部１４の刃面１４ａの研磨を行う刃先基準の場合には、下部支持部３４を横軸３４ｂ周りに回動させてチューブ１５が当接しない高さとなるように、当接支持面３４ｇを選択して上向きに配置する。
【００３３】
次いで、滑走ブレード１３をスラップシステムのアイススケート靴から取り外した滑走ブレード１３を、刃面１４ａを上向きにしてブレード固定部２２の固定部本体３１と架台２１との間に配置し、ノブネジ３６により固定部本体３１を回動させて閉じた位置で、滑走ブレード１３を落下しない程度に仮止めする。
【００３４】
仮止め状態で、配置調整部２３を架台２１の所定位置に精度よく装着する。このとき、架台２１のチューブ押圧駒３３ａと固定部本体３１のチューブ押圧駒３３ａとを適切な位置に固定する。即ち、固定部本体３１を締め込むことで両側の刃部押圧駒３２ａにより刃部１４を両側面から加圧して挟持した際、両側のチューブ押圧駒３３ａによりチューブ１５を適切な加圧力で加圧して挟持できる位置に精度よく調整して固定する。
【００３５】
そして、チューブ基準の場合には、チューブ１５を下部支持部３４の当接支持面３４ｇに当接させた状態で配置調整部２３の角度調整部４６に刃部１４の側面を当接させることで、刃部１４の倒れ角度を鉛直方向を含む所定角度に配置し、そのままノブネジ３６を回動させて締め込むことで固定部本体３１を閉状態にする。
【００３６】
一方、刃先基準の場合には、チューブ１５を下部支持部３４の当接支持面３４ｇから浮かせた状態で、配置調整部２３の角度調整部４６に刃部１４の側面を当接させるとともに、配置調整部２３の突出量調整部４７に刃部１４の刃面１４ａを当接させる。刃部１４の倒れ角度を鉛直方向を含む所定角度に配置するとともに、刃部挟持部３２から刃部１４を所定突出量で突出させ、そのままノブネジ３６を回動させて締め込むことで固定部本体３１を閉状態にする。
【００３７】
刃部挟持部３２の互いに対となる刃部押圧駒３２ａ同士で刃面１４ａを両側から加圧して挟持するとともに、チューブ挟持部３３の互いに対となるチューブ押圧駒３３ａ同士でチューブ１５を両側から加圧して挟持する。これにより、アイススケート靴用刃研磨台２０に一対の滑走ブレード１３が刃部１４の刃面を上向きにして所定の配置で精度よく固定される。
その後、配置調整部２３を架台２１から取り外し、一対の滑走ブレード１３の刃部１４の刃面１４ａに上方から砥石を接触させてスライドさせることで、刃部１４の刃面１４ａを所定の角度で研磨することができる。
【００３８】
以上のような本実施形態のアイススケート靴用刃研磨台２０によれば、刃面１４ａを上向きにして滑走ブレード１３の両側面側から開閉可能に固定するブレード固定部２２を備えている。このブレード固定部２２が、刃面１４ａ側を突出させて刃部１４を両側面側から挟持する刃部挟持部３２と、チューブ１５を両側から挟持するチューブ挟持部３３と、を有している。
従って、滑走ブレード１３をブレード固定部２２により固定する際、刃部１４とチューブ１５との上下両方の位置で両側面側から挟持するので、滑走ブレード１３を安定して固定でき、挟持された状態で滑走ブレード１３が傾いたり位置ズレしたりするようなことを防止できる。かくして、刃部１４の上端部に長手方向に沿って固設されたチューブ１５を有する滑走ブレード１３の刃面１４ａを所望の角度で正確に研磨でき、エッジ部分に正確に角度を付けることが可能である。
【００３９】
この実施形態のアイススケート靴用刃研磨台２０では、ノブネジ３６により開度を調整することで、固定部本体３１と架台２１とに互いに対向して配置される刃部挟持部３２が進退可能となっている。従って、滑走ブレード１３の刃部１４の厚みが滑走ブレード１３に応じて異なっていても、固定部本体３１を閉状態にすることで、刃部挟持部３２により確実に刃部１４を加圧して挟持することができる。
【００４０】
この実施形態のアイススケート靴用刃研磨台２０では、互いに対向して配置されるチューブ挟持部３３が、固定部本体３１と架台２１とにそれぞれ螺合していて進退可能に装着されている。従って、滑走ブレード１３のチューブ１５の太さや刃部１４からの突出量などに応じて適宜進退量を調整することで、チューブ１５を適切な位置で適度に加圧して挟持することができる。しかもこのチューブ挟持部３３はチューブ１５に当接する頭部３３ｄが平坦面を有しているので、滑走ブレード１３のチューブ１５に傷が付きにくく、強固に挟持させ易い。
【００４１】
また、この実施形態のアイススケート靴用刃研磨台２０では、架台２１と架台２１に開閉可能に設けられた固定部本体３１とに、刃部押圧駒３２ａとチューブ押圧駒３３ａとが対向して設けられている。従って、固定部本体３１を開状態にして滑走ブレード１３を配置し、架台２１に設けられた固定部本体３１を閉状態にすることで、刃部押圧駒３２ａの対とチューブ押圧駒３３ａの対とにより滑走ブレード１３の刃部１４とチューブ１５とをそれぞれ挟持することができる。よって、滑走ブレード１３を固定するのに刃部１４とチューブ１５との複数箇所で挟持させても、滑走ブレード１３をアイススケート靴用刃研磨台２０に容易に固定することができる。
【００４２】
さらに、この実施形態のアイススケート靴用刃研磨台２０では、固定部本体３１と架台２１とに設けられた刃部押圧駒３２ａが縦軸３２ｂ周りに回動自在に支持されている。従って、刃部１４が側面方向に大きな曲率で湾曲している滑走ブレード１３であっても、各側面に当接して押圧する刃部押圧駒３２ａの向きを刃部１４の湾曲形状に応じて変化できる。よって、一対の刃部押圧駒３２ａにより強固に押圧して固定しても、刃部１４の湾曲形状を変化させることがなく、刃面１４ａの研磨を精度よく行うことができる。
【００４３】
またこのアイススケート靴用刃研磨台２０では、ブレード固定部２２は上下反転させたチューブ１５を下方から当接して支持する下部支持部３４を有している。従って、滑走ブレード１３を安定して支持することができる。また滑走ブレード１３を下部支持部３４に載置した状態で刃部挟持部３２やチューブ挟持部３３により挟持させることが可能で、滑走ブレード１３を装着する作業が行い易い。
さらに下部支持部３４が偏心した横軸３４ｂ周りに回動可能で、外周に横軸３４ｂからの距離が互いに異なる複数の当接支持面３４ｇを有している。従って、下部支持部３４を回動させることで当接支持面３４ｇと刃部挟持部３２との間の距離を容易に調整できる。よって、滑走ブレード１３のサイズに応じて調整したり、刃部１４の刃部挟持部３２からの突出量を容易に調整することができる。
【００４４】
さらにこのアイススケート靴用刃研磨台２０では、刃部１４を当接させて配置を調整する配置調整部２３が架台２１に着脱可能に装着されている。従って、滑走ブレード１３をアイススケート靴用刃研磨台２０に装着する際に配置調整部２３を架台２１に装着して刃部１４を当接させることで、刃部１４を適切に配置して滑走ブレード１３を装着することができる。また研磨する際に配置調整部２３を架台２１から離脱させることで、配置調整部２３が邪魔になることなく刃部１４の刃面１４ａを研磨することができる。その際、突出量調整部４７により刃部挟持部３２からの刃部１４の突出量を調整したり、角度調整部４６により刃部１４の倒れ角度を調整したりすることができるので、滑走ブレード１３の刃部１４の刃面１４ａをより正確に研磨でき、エッジ部分に精度よく角度を付けることができる。
【００４５】
なお上記実施形態は本考案の範囲内において適宜変更可能である。
例えば上記実施形態では、滑走ブレード１３の刃部１４の刃面１４ａを研磨するための砥石や砥石の駆動部等を有する研磨手段について特に記載していないが、本考案は研磨手段を有する装置であっても研磨手段を有しない装置であっても全く同様に適用することが可能である。
また上記実施形態では、架台２１の上部に配置調整部２３を着脱可能に装着した状態でアイススケート靴用刃研磨台２０を構成したが、配置調整部２３を装着しない状態であってもアイススケート靴用刃研磨台をそのまま構成することができる。
【００４６】
さらに上記実施形態では、固定部本体３１が枢支ピン３５により回動可能に架台２１に枢支された例について説明したが、固定部本体３１を架台２１に着脱することで開閉可能としてもよく、開状態で滑走ブレード１３を所定位置に配置でき、閉状態で滑走ブレード１３を固定できる構造であれば特に限定されない。
上記実施形態では、架台２１の短手方向の両側面側に、一対２本の滑走ブレード１３を固定する台を例示したが、１本の滑走ブレード１３を固定する台であってもよく、３本以上の滑走ブレード１３を固定する台であってもよい。その場合、固定する滑走ブレードの本数に応じて適宜ブレード固定部２２や配置調整部２３の数を適宜選択すればよい。
【００４７】
さらに上記では各滑走ブレード１３を固定するために２カ所にブレード固定部２２と配置調整部２３を設けた例を説明したが、各滑走ブレード１３を固定するブレード固定部２２と配置調整部２３が１カ所であっても３カ所以上であっても、研磨対象の滑走ブレード１３を安定して適切に固定できれば、ブレード固定部２２や配置調整部２３の数は何ら限定されない。
【符号の説明】
【００４８】
１０  アイススケート靴
１１  靴部
１２  スラップシステム
１３  滑走ブレード
１４  刃部
１４ａ  刃面
１５  チューブ
２０  アイススケート靴用刃研磨台
２１  架台
２２  ブレード固定部
２３  配置調整部
２６  ロッド
２７  縦フレーム
２８  ノブネジ
３１  固定部本体
３２  刃部挟持部
３２ａ  刃部押圧駒
３２ｂ  縦軸
３３  チューブ挟持部
３３ａ  チューブ押圧駒
３３ｂ  挟持ねじ部
３３ｃ  締め返しナット
３３ｄ  頭部
３４  下部支持部
３４ａ  刃高さ規定駒
３４ｂ  横軸
３４ｃ  支持ピン
３４ｄ  ボス
３４ｅ  ボス係止部
３４ｆ  付勢手段
３４ｇ  当接支持面
３５  枢支ピン
３６  ノブネジ
４１  取付部
４１ａ  頂面
４１ｂ  側面
４２  支持ブロック
４２ａ  底面
４３  ノブネジ
４６  角度調整部
４６ａ  目盛り付ガイド板
４６ｂ  ダイヤル
４７  突出量調整部
【図１】
0003211349.tif 000003
【図２】
0003211349.tif 000004
【図３】
0003211349.tif 000005
【図４】
0003211349.tif 000006
【図５】
0003211349.tif 000007
【図６】
0003211349.tif 000008
【図７】
0003211349.tif 000009
【図８】
0003211349.tif 000010
【図９】
0003211349.tif 000011
【図１０】
0003211349.tif 000012
【図１１】
0003211349.tif 000013
【図１２】
0003211349.tif 000014
【図１３】
0003211349.tif 000015
【図１４】
0003211349.tif 000016
【図１５】
0003211349.tif 000017
【図１６】
0003211349.tif 000018
【図１７】
0003211349.tif 000019